(57)【要約】      （修正有）【課題】残量が少なくなった状態におけるチューブ状蜂蜜容器内の蜂蜜を、手間をかけずに効率よく、完全に取り出すことができるようになしたチューブ状蜂蜜容器支持具を提供する。【解決手段】円筒状で、下部を上部と同径又は上部より拡径してスカート状になし、上部開口に、中央部に逆さにした状態におけるチューブ状蜂蜜容器の注出口側部分を挿し込んで受ける受容口を設けた蓋を被着した容器支持具本体と、該容器支持具本体の蓋における受容口のサイズを変えるために該容器支持具本体に付属せしめた、蓋の上面において受容口に被せる、開口径の異なる二種類の円板状アダプタとからなることを特徴とする。【選択図】図１
0003151586.tif 000002
【実用新案登録請求の範囲】
【請求項１】
ガラス製でサイズ径９０ｍｍ、縦１００ｍｍの両端が開いた円筒形で本体の安定を保持するため下方にスカート状に開いたやや錐体状をしたものに上部のみ蓋をして使用。蓋は、市販の蜂蜜の容器の大きさによって使い分けるように二種類のアダプターが付属してある。そのアダプターを使い分けることによって市販の蜂蜜の容器のキャップをしたままか、取り外して逆さに入れて放置しておくことによって少量になった蜂蜜を取り易くしたものである。また、本体の底部に付属の小容器を置けば完全に残っていた蜂蜜を取り出し保存できる。また、本体に入るサイズであれば、家庭にある既存の小皿も利用可能である。
【考案の詳細な説明】
【技術分野】
【０００１】本考案は、残量が少なくなった蜂蜜の容器から蜂蜜を取り出し易くするためのものである。
【背景技術】
【０００２】容器に少量残った蜂蜜を取り出すことは、通常、容易ではない。特に冬季には硬化しているため湯煎しなければ容器から完全に取り出すことは困難である。
【考案の開示】
【考案が解決しようとする課題】
【０００３】少量になった市販の蜂蜜の容器から蜂蜜を取り出すことは、通常容易ではない。本考案は、蜂蜜の容器を本考案したものに逆さにセットし放置することによって問題を解決しようとしたものである。
【課題を解決するための手段】
【０００４】少量に残った蜂蜜を容易に取り出すために、蜂蜜の容器を逆さに放置できる固定器を考案し、また落とし込んだ蜂蜜を固定器の底部に置いた小皿、あるいは付属の小容器に保存できるよう考案した。
【考案の効果】
【０００５】市販の蜂蜜の容器を逆さにセットし放置しておくようになっているので残量の蜂蜜が自然に容器の出口に滞留し、残量の蜂蜜を容易に取り出すことが出来る。市販の蜂蜜の容器には、大中小あるので穴のサイズの異なる二種類のアダプターを使用すれば市販の蜂蜜の容器に対応可能である。
【考案を実施するための最良の形態】
【０００６】本考案の本体は、ガラス製が最良であるが、例え、残量を取り出すためとは言え特にプラシチック製の場合、軽量のため安定を確保するため、本体の下部をスカート状の形状にすることが絶対条件がある。
【図面の簡単な説明】
【０００７】
【図１】本考案、ハニードールの側面図。
【図２】本体キャップの上面図（穴径６ｃｍ）。
【図３】穴径４ｃｍアダプターの上面、側面図。
【図４】穴径３ｃｍアダプターの上面、側面図。
【図５】試作品（参考写真）
【図６】試作品（参考写真）
【図７】試作品（参考写真）
【図８】本体キャップの参考写真
【図９】アダプターの参考写真
【図１０】アダプターの参考写真
【符号の説明】
【０００８】  １  市販蜂蜜の容器
２  同上のキャップ
３  本体
４  本体のキャップ
５  蜂蜜取り出し用の小容器
６  テーブル（卓上）面
７  本体キャップの上面
８  同上に空けられた穴
【図１】
0003151586.tif 000003
【図２】
0003151586.tif 000004
【図３】
0003151586.tif 000005
【図４】
0003151586.tif 000006
【図５】
0003151586.tif 000007
【図６】
0003151586.tif 000008
【図７】
0003151586.tif 000009
【図８】
0003151586.tif 000010
【図９】
0003151586.tif 000011
【図１０】
0003151586.tif 000012
【手続補正書】
【提出日】平成21年3月30日(2009.3.30)
【手続補正１】
【補正対象書類名】実用新案登録請求の範囲
【補正対象項目名】全文
【補正方法】変更
【補正の内容】
【実用新案登録請求の範囲】
【請求項１】
円筒状で、下部を上部と同径又は上部より拡径してスカート状になし、上部開口に、中央部に逆さにした状態におけるチューブ状蜂蜜容器の注出口側部分を挿し込んで受ける受容口を設けた蓋を被着した容器支持具本体と、該容器支持具本体の蓋における受容口のサイズを変えるために該容器支持具本体に付属せしめた、蓋の上面において受容口に被せる、開口径の異なる二種類の円板状アダプタとからなるチューブ状蜂蜜容器支持具。
【手続補正２】
【補正対象書類名】明細書
【補正対象項目名】全文
【補正方法】変更
【補正の内容】
【考案の詳細な説明】
【技術分野】
【０００１】本考案は、チューブ状蜂蜜容器内における蜂蜜の残量が少なくなったとき、該容器を逆さの状態に支持して、残った蜂蜜を自然に注出口に流下させるようになしたチューブ状蜂蜜容器支持具に関するものである。
【背景技術】
【０００２】蜂蜜は粘り気の強いゲル状であるため、チューブ状蜂蜜容器内における蜂蜜の残量が少なくなったときにおいては、残った蜂蜜を注出口から取り出そうとしても容易にこれを行うことができない。特に冬季にあっては気温の低下に伴って硬化しているため、湯煎しなければ完全に取り出すことはできない。
【考案の開示】
【考案が解決しようとする課題】
【０００３】本考案は上記の点に鑑みなされたものであって、容器を逆さの状態に支持して、残った蜂蜜を自然に注出口に流下させるようになし、もって残量が少なくなった状態におけるチューブ状蜂蜜容器内の蜂蜜を、手間をかけずに効率よく、完全に取り出すことができるようになしたチューブ状蜂蜜容器支持具を提供しようとするものである。
【課題を解決するための手段】
【０００４】而して、本考案の要旨とするところは、円筒状で、下部を上部と同径又は上部より拡径してスカート状になし、上部開口に、中央部に逆さにした状態におけるチューブ状蜂蜜容器の注出口側部分を挿し込んで受ける受容口を設けた蓋を被着した容器支持具本体と、該容器支持具本体の蓋における受容口のサイズを変えるために該容器支持具本体に付属せしめた、蓋の上面において受容口に被せる、開口径の異なる二種類の円板状アダプタとからなるチューブ状蜂蜜容器支持具にある。
【考案の効果】
【０００５】本考案は上記の如き構成であり、チューブ状蜂蜜容器を逆さの状態に支持して、残った蜂蜜を自然に注出口に流下させるようになしたものである。したがって、残量が少なくなった状態におけるチューブ状蜂蜜容器内の蜂蜜を、単に放置しておくだけで、手間をかけずに効率よく、完全に取り出すことができるものである。【０００６】また、円筒状の容器支持具本体を、その下部を上部より拡径してスカート状になした場合には、その材質が軽量のプラスチックの場合において、その安定性を確保することができるものである。【０００７】また、容器支持具本体に、その蓋の受容口のサイズを変えるために開口径の異なる二種類の円板状アダプタを付属せしめたから、大中小ある市販のチューブ状蜂蜜容器のいずれにも対応可能である。
【考案を実施するための最良の形態】
【０００８】以下、本考案に係るチューブ状蜂蜜容器支持具を実施するための最良の形態について、図面を参照して説明する。【０００９】図１は本考案に係るチューブ状蜂蜜容器支持具の使用状態の正面図、図２は同中央縦断正面図、図３は容器支持具本体の蓋の平面図、図４は一方のアダプタの平面図、図５は図４中Ａ−Ａ線断面図、図６はもう一方のアダプタの平面図、図７は図６中Ｂ−Ｂ線断面図、図８は本考案に係るチューブ状蜂蜜容器支持具のアダプタを使用した状態の斜視図である。【００１０】図中、１はチューブ状蜂蜜容器支持具であり、後記容器支持具本体とアダプタとからなるものである。【００１１】２は容器支持具本体であり、円筒状で、下部２ｂを上部２ａと同径とし、上部開口２Ａに、中央部に逆さにした状態におけるチューブ状蜂蜜容器の注出口側部分を挿し込んで受ける受容口３Ａを設けた蓋３を被着してなるものである。【００１２】また、該容器支持具本体２は、本実施形態においては、ガラスをもって制作し、そのサイズは、長さが１００ｍｍ、内径が９０ｍｍである。また、本実施形態においては、上部２ａと下部２ｂを同径としているが、プラスチックを用いて製作する場合には、安定性を確保するために、図示はしないが下部２ｂを上部２ａより拡径してスカート状にすることが望ましい。また、蓋３の受容口３Ａはその径を６０ｍｍとしている。【００１３】４，５は支持するチューブ状蜂蜜容器のサイズに合わせるべく、前記容器支持具本体２の蓋３における受容口３Ａのサイズを変えるための円板状アダプタであり、蓋３の上面において受容口３Ａに被せるものである。また、これらアダプタ４，５は、いずれもその外径は蓋３の受容口３Ａよりも大きく、そして一方のアダプタ４の開口４Ａの径はもう一方のアダプタ５の開口５Ａの径よりも大きくしている。尚、その他図中６はキャップ状の蓋６Ａを有するチューブ状蜂蜜容器、７は小皿を示す。【００１４】次に、本実施形態の作用について説明する。
使用するときには、チューブ状蜂蜜容器６を逆さにして、その注出口側部分を容器支持具本体２の蓋３における受容口３Ａに挿し込むものである。この状態で放置すると、チューブ状蜂蜜容器６内に残った蜂蜜（図示せず。）は該チューブ状蜂蜜容器６の内壁を伝わって自然に注出口に流下する。そして、キャップ状の蓋６Ａをしたままの場合においては、流下した蜂蜜は注出口部分に滞留し、またキャップ状の蓋６Ａを外した状態とした場合には、注出口から流出して、下方に置いた小皿７等に落下するものである。尚、該小皿７等は、本考案品の付属品としてセットしてもよいが、一般家庭にある既存のものを用いてもよい。【００１５】また、支持するチューブ状蜂蜜容器のサイズに合わせるべく、容器支持具本体２の蓋３における受容口３Ａのサイズを変えるときには、適宜にアダプタ４，５を用いるものである。
【図面の簡単な説明】
【００１６】
【図１】本考案に係るチューブ状蜂蜜容器支持具の使用状態の正面図である。
【図２】同中央縦断正面図である。
【図３】容器支持具本体の蓋の平面図である。
【図４】一方のアダプタの平面図である。
【図５】図４中Ａ−Ａ線断面図である。
【図６】もう一方のアダプタの平面図である。
【図７】図６中Ｂ−Ｂ線断面図である。
【図８】本考案に係るチューブ状蜂蜜容器支持具のアダプタを使用した状態の斜視図である。
【符号の説明】
【００１７】１  チューブ状蜂蜜容器支持具
２  容器支持具本体
２Ａ  上部開口
３  蓋
３Ａ  受容口
４、５  アダプタ
【手続補正３】
【補正対象書類名】図面
【補正対象項目名】全図
【補正方法】変更
【補正の内容】
【図１】
0003151586.tif 000013
【図２】
0003151586.tif 000014
【図３】
0003151586.tif 000015
【図４】
0003151586.tif 000016
【図５】
0003151586.tif 000017
【図６】
0003151586.tif 000018
【図７】
0003151586.tif 000019
【図８】
0003151586.tif 000020